(57)【要約】  利用者の操作性を著しく向上可能な携帯通信端末を提供する。  無線による通信が可能な携帯通信端末１は、上側ユニットに、第１の表示部材（表示部１９）と、第１の表示部材を電気的及び構造的に接続する回動機構を含む第１の支持部材とを設け、下側ユニットに、第２の表示部材（表示／入力部２０）と、第２の表示部材を電気的及び構造的に接続する回動機構を含む第２の支持部材とを設けている。携帯通信端末１は、上側ユニットと下側ユニットとの開閉状態を検出する開閉検出手段（開閉センサ２２）と、第１及び第２の表示部材の回動状態を検出する回動検出手段（回動センサ２３）と、開閉検出手段及び回動検出手段各々の検出結果に応じて第２の表示部材の表示内容を制御する制御手段（制御部２６）とを有する。
2009020131.tif 000002
【特許請求の範囲】
【請求項１】
第１の表示部材と、前記第１の表示部材を電気的及び構造的に接続する回動機構を含む第１の支持部材とを含む上側ユニットと、
少なくとも第２の表示部材を含む下側ユニットとからなり、
無線による通信が可能な携帯通信端末であって、
前記第１の表示部材の回動状態を検出する回動検出手段と、前記回動検出手段の検出結果に応じて前記第２の表示部材の表示内容を制御する制御手段とを有することを特徴とする携帯通信端末。
【請求項２】
前記上側ユニットと前記下側ユニットとの開閉状態を検出する開閉検出手段を含み、
前記制御手段は、前記開閉検出手段及び前記回動検出手段各々の検出結果に応じて前記第２の表示部材の表示内容を制御することを特徴とする請求項１記載の携帯通信端末。
【請求項３】
前記第２の表示部材の少なくとも一部に信号入力用のスイッチ手段を含むことを特徴とする請求項１または請求項２記載の携帯通信端末。
【請求項４】
前記第１の表示部材は、主に情報の表示出力を行い、出力する情報に応じて画面表示を縦長または横長の表示とし、
前記第２の表示部材は、主に情報の入力操作を行うタッチパネルであり、前記第１の表示部材に表示される情報に対応して画面表示を縦長または横長の表示に変更し、かつ表示されるキーまたはアイコンのパターンを変更することを特徴とする請求項１から請求項３のいずれか記載の携帯通信端末。
【請求項５】
前記第２の表示部材は、信号入力用のスイッチ手段各々に設けられたことを特徴とする請求項１または請求項２記載の携帯通信端末。
【請求項６】
前記第１の表示部材は、主に情報の表示出力を行い、出力する情報に応じて画面表示を縦長または横長の表示とし、
前記第２の表示部材は、前記第１の表示部材に表示される情報に対応して画面表示を縦長または横長の表示に変更し、かつ表示されるキーまたはアイコンのパターンを変更することを特徴とする請求項１と請求項２と請求項５とのいずれか記載の携帯通信端末。
【請求項７】
前記制御手段は、前記回動検出手段の検出結果と、自端末で選択されている機能とに応じて前記第２の表示部材の表示内容及び前記スイッチ手段の有効／無効を制御することを特徴とする請求項３から請求項６のいずれか記載の携帯通信端末。
【請求項８】
第１の表示部材と、前記第１の表示部材を電気的及び構造的に接続する回動機構を含む第１の支持部材とを含む上側ユニットと、
第２の表示部材と、前記第２の表示部材を電気的及び構造的に接続する回動機構を含む第２の支持部材とを含む下側ユニットとからなり、
無線による通信が可能な携帯通信端末であって、
前記第１及び第２の表示部材の回動状態を検出する回動検出手段と、前記回動検出手段の検出結果に応じて前記第２の表示部材の表示内容を制御する制御手段とを有することを特徴とする携帯通信端末。
【請求項９】
前記上側ユニットと前記下側ユニットとの開閉状態を検出する開閉検出手段を含み、
前記制御手段は、前記開閉検出手段及び前記回動検出手段各々の検出結果に応じて前記第２の表示部材の表示内容を制御することを特徴とする請求項８記載の携帯通信端末。
【請求項１０】
前記第２の表示部材の少なくとも一部に信号入力用のスイッチ手段を含むことを特徴とする請求項８または請求項９記載の携帯通信端末。
【請求項１１】
前記第１の表示部材は、主に情報の表示出力を行い、出力する情報に応じて画面表示を縦長または横長の表示とし、
前記第２の表示部材は、主に情報の入力操作を行うタッチパネルであり、前記第１の表示部材に表示される情報に対応して画面表示を縦長または横長の表示に変更し、かつ表示されるキーまたはアイコンのパターンを変更することを特徴とする請求項８から請求項１０のいずれか記載の携帯通信端末。
【請求項１２】
前記第２の表示部材は、信号入力用のスイッチ手段各々に設けられたことを特徴とする請求項８または請求項９記載の携帯通信端末。
【請求項１３】
前記第１の表示部材は、主に情報の表示出力を行い、出力する情報に応じて画面表示を縦長または横長の表示とし、
前記第２の表示部材は、前記第１の表示部材に表示される情報に対応して画面表示を縦長または横長の表示に変更し、かつ表示されるキーまたはアイコンのパターンを変更することを特徴とする請求項８と請求項９と請求項１２とのいずれか記載の携帯通信端末。
【請求項１４】
前記制御手段は、前記回動検出手段の検出結果と、自端末で選択されている機能とに応じて前記第２の表示部材の表示内容及び前記スイッチ手段の有効／無効を制御することを特徴とする請求項１０から請求項１３のいずれか記載の携帯通信端末。
【請求項１５】
前記第２の表示部材は、その表示内容として前記スイッチ手段に対応するキー及びアイコンのうちの少なくとも一方を表示することを特徴とする請求項１０から請求項１４のいずれか記載の携帯通信端末。
【請求項１６】
前記第２の表示部材は、その表示内容として前記スイッチ手段に対応するキー及びアイコンのうちの少なくとも一方が表示され、かつその表示領域の長手方向を横とする横長状態において、予め設定された複数のスイッチ手段の同時押下の有無に応じてその表示内容を変更することを特徴とする請求項１０または請求項１１記載の携帯通信端末。
【請求項１７】
第１の表示部材と、前記第１の表示部材を電気的及び構造的に接続する回動機構を含む第１の支持部材とを含む上側ユニットと、
少なくとも第２の表示部材を含む下側ユニットとからなり、
無線による通信が可能な携帯通信端末に用いる入力操作画面制御方法であって、
前記携帯通信端末が、前記第１の表示部材の回動状態を検出する回動検出処理と、前記回動検出処理の検出結果に応じて前記第２の表示部材の表示内容を制御する制御処理とを実行することを特徴とする入力操作画面制御方法。
【請求項１８】
前記携帯通信端末が、前記上側ユニットと前記下側ユニットとの開閉状態を検出する開閉検出処理を実行し、
前記携帯通信端末が、前記制御処理において、前記開閉検出処理及び前記回動検出処理各々の検出結果に応じて前記第２の表示部材の表示内容を制御することを特徴とする請求項１７記載の入力操作画面制御方法。
【請求項１９】
前記第２の表示部材の少なくとも一部に信号入力用のスイッチ手段を含むことを特徴とする請求項１７または請求項１８記載の入力操作画面制御方法。
【請求項２０】
前記第１の表示部材は、主に情報の表示出力を行い、出力する情報に応じて画面表示を縦長または横長の表示とし、
前記第２の表示部材は、主に情報の入力操作を行うタッチパネルであり、前記第１の表示部材に表示される情報に対応して画面表示を縦長または横長の表示に変更し、かつ表示されるキーまたはアイコンのパターンを変更することを特徴とする請求項１７から請求項１９のいずれか記載の入力操作画面制御方法。
【請求項２１】
前記第２の表示部材を、信号入力用のスイッチ手段各々に設けたことを特徴とする請求項１７または請求項１８記載の入力操作画面制御方法。
【請求項２２】
前記第１の表示部材は、主に情報の表示出力を行い、出力する情報に応じて画面表示を縦長または横長の表示とし、
前記第２の表示部材は、前記第１の表示部材に表示される情報に対応して画面表示を縦長または横長の表示に変更し、かつ表示されるキーまたはアイコンのパターンを変更することを特徴とする請求項１７と請求項１８と請求項２１とのいずれか記載の入力操作画面制御方法。
【請求項２３】
前記携帯通信端末が、前記制御処理において、前記回動検出処理の検出結果と、前記携帯通信端末で選択されている機能とに応じて前記第２の表示部材の表示内容及び前記スイッチ手段の有効／無効を制御することを特徴とする請求項１９から請求項２２のいずれか記載の入力操作画面制御方法。
【請求項２４】
第１の表示部材と、前記第１の表示部材を電気的及び構造的に接続する回動機構を含む第１の支持部材とを含む上側ユニットと、
第２の表示部材と、前記第２の表示部材を電気的及び構造的に接続する回動機構を含む第２の支持部材とを含む下側ユニットとからなり、
無線による通信が可能な携帯通信端末に用いる入力操作画面制御方法であって、
前記携帯通信端末が、前記第１及び第２の表示部材の回動状態を検出する回動検出処理と、前記回動検出処理の検出結果に応じて前記第２の表示部材の表示内容を制御する制御処理とを実行することを特徴とする入力操作画面制御方法。
【請求項２５】
前記携帯通信端末が、前記上側ユニットと前記下側ユニットとの開閉状態を検出する開閉検出処理を実行し、
前記携帯通信端末が、前記制御処理において、前記開閉検出処理及び前記回動検出処理各々の検出結果に応じて前記第２の表示部材の表示内容を制御することを特徴とする請求項２４記載の入力操作画面制御方法。
【請求項２６】
前記第２の表示部材の少なくとも一部に信号入力用のスイッチ手段を設けたことを特徴とする請求項２４または請求項２５記載の入力操作画面制御方法。
【請求項２７】
前記第１の表示部材は、主に情報の表示出力を行い、出力する情報に応じて画面表示を縦長または横長の表示とし、
前記第２の表示部材は、主に情報の入力操作を行うタッチパネルであり、前記第１の表示部材に表示される情報に対応して画面表示を縦長または横長の表示に変更し、かつ表示されるキーまたはアイコンのパターンを変更することを特徴とする請求項２４から請求項２６のいずれか記載の入力操作画面制御方法。
【請求項２８】
前記第２の表示部材を、信号入力用のスイッチ手段各々に設けたことを特徴とする請求項２４または請求項２５記載の入力操作画面制御方法。
【請求項２９】
前記第１の表示部材は、主に情報の表示出力を行い、出力する情報に応じて画面表示を縦長または横長の表示とし、
前記第２の表示部材は、前記第１の表示部材に表示される情報に対応して画面表示を縦長または横長の表示に変更し、かつ表示されるキーまたはアイコンのパターンを変更することを特徴とする請求項２４と請求項２５と請求項２８とのいずれか記載の入力操作画面制御方法。
【請求項３０】
前記携帯通信端末が、前記制御処理において、前記回動検出手段の検出結果と、前記携帯通信端末で選択されている機能とに応じて前記第２の表示部材の表示内容及び前記スイッチ手段の有効／無効を制御することを特徴とする請求項２６から請求項２９のいずれか記載の入力操作画面制御方法。
【請求項３１】
前記第２の表示部材に、その表示内容として前記スイッチ手段に対応するキー及びアイコンのうちの少なくとも一方を表示することを特徴とする請求項２６から請求項３０のいずれか記載の入力操作画面制御方法。
【請求項３２】
前記第２の表示部材に、その表示内容として前記スイッチ手段に対応するキー及びアイコンのうちの少なくとも一方が表示され、かつその表示領域の長手方向を横とする横長状態において、予め設定された複数のスイッチ手段の同時押下の有無に応じてその表示内容を変更することを特徴とする請求項２６または請求項２７記載の入力操作画面制御方法。
【請求項３３】
第１の表示部材と、前記第１の表示部材を電気的及び構造的に接続する回動機構を含む第１の支持部材とを含む上側ユニットと、
少なくとも第２の表示部材を含む下側ユニットとからなり、
無線による通信が可能な携帯通信端末内においてコンピュータに実行させるプログラムであって、
前記第１の表示部材の回動状態を検出する回動検出処理と、前記回動検出処理の検出結果に応じて前記第２の表示部材の表示内容を制御する制御処理とを含むことを特徴とするプログラム。
【請求項３４】
第１の表示部材と、前記第１の表示部材を電気的及び構造的に接続する回動機構を含む第１の支持部材とを含む上側ユニットと、
第２の表示部材と、前記第２の表示部材を電気的及び構造的に接続する回動機構を含む第２の支持部材とを含む下側ユニットとからなり、
無線による通信が可能な携帯通信端末内においてコンピュータに実行させるプログラムであって、
前記第１及び第２の表示部材の回動状態を検出する回動検出処理と、前記回動検出処理の検出結果に応じて前記第２の表示部材の表示内容を制御する制御処理とを含むことを特徴とするプログラム。
【発明の詳細な説明】
【技術分野】
【０００１】
本発明は携帯通信端末及びそれに用いる入力操作画面制御方法並びにそのプログラムに関し、特に折畳み型の携帯電話機の入力操作に関する。
【背景技術】
【０００２】
本発明に関連する携帯電話機においては、音声通話機能からテレビ電話機能、カメラ機能、インタネット等のブラウザ機能、電子メール送受信機能、放送（ＴＶ）受信機能等の様々な機能が搭載されている。【０００３】
この種の携帯電話機では、折畳み型の場合、一般的に、上側ユニットに表示部、下側ユニットにテンキー等の操作部を備え、縦長画面をテンキーで操作することによって利用されている。【０００４】
また、本発明に関連する携帯端末機としては、上側ユニットを横向きに回転可能に軸支するとともに、上側ユニットとは独立に下側ユニットを横向きに回転可能に軸支することで、ゲーム等のキー操作が便利になる携帯端末機が提案されている（例えば、特許文献１参照）。さらに、本発明に関連する他の携帯端末機としては、表示部を備えた第１のケーシングと入力キー等を備えた第２のケーシングとを互いに回転可能に軸支する単一の軸支部材を持つ端末が提案されている（例えば、特許文献２参照）。
【特許文献１】特開２００６−１９１６３２号公報
【特許文献２】再特ＷＯ２００３／０５６７８７号公報
【発明の開示】
【発明が解決しようとする課題】
【０００５】
しかし、上記の携帯電話機では、折畳み型の場合、画面が縦長、操作部がテンキーであるために、使用する機能によっては使い勝手に難点を有し、例えば、ブラウザであれば横長画面にすることで横へのスクロールを無くすこと、メールであれば、キーボード等のようなフルキーによって入力操作性を向上させることが求められている。【０００６】
そこで、本発明の目的は上記の問題点を解消し、利用者の操作性を著しく向上させることができる携帯通信端末及びそれに用いる入力操作画面制御方法並びにそのプログラムを提供することにある。
【課題を解決するための手段】
【０００７】
本発明による第１の携帯通信端末は、第１の表示部材と、前記第１の表示部材を電気的及び構造的に接続する回動機構を含む第１の支持部材とを含む上側ユニットと、
少なくとも第２の表示部材を含む下側ユニットとからなり、
無線による通信が可能な携帯通信端末であって、
前記第１の表示部材の回動状態を検出する回動検出手段と、前記回動検出手段の検出結果に応じて前記第２の表示部材の表示内容を制御する制御手段とを備えている。【０００８】
本発明による第２の携帯通信端末は、第１の表示部材と、前記第１の表示部材を電気的及び構造的に接続する回動機構を含む第１の支持部材とを含む上側ユニットと、
第２の表示部材と、前記第２の表示部材を電気的及び構造的に接続する回動機構を含む第２の支持部材とを含む下側ユニットとからなり、
無線による通信が可能な携帯通信端末であって、
前記第１及び第２の表示部材の回動状態を検出する回動検出手段と、前記回動検出手段の検出結果に応じて前記第２の表示部材の表示内容を制御する制御手段とを備えている。【０００９】
本発明による第１の入力操作画面制御方法は、第１の表示部材と、前記第１の表示部材を電気的及び構造的に接続する回動機構を含む第１の支持部材とを含む上側ユニットと、
少なくとも第２の表示部材を含む下側ユニットとからなり、
無線による通信が可能な携帯通信端末に用いる入力操作画面制御方法であって、
前記携帯通信端末が、前記第１の表示部材の回動状態を検出する回動検出処理と、前記回動検出処理の検出結果に応じて前記第２の表示部材の表示内容を制御する制御処理とを実行している。【００１０】
本発明による第２の入力操作画面制御方法は、第１の表示部材と、前記第１の表示部材を電気的及び構造的に接続する回動機構を含む第１の支持部材とを含む上側ユニットと、
第２の表示部材と、前記第２の表示部材を電気的及び構造的に接続する回動機構を含む第２の支持部材とを含む下側ユニットとからなり、
無線による通信が可能な携帯通信端末に用いる入力操作画面制御方法であって、
前記携帯通信端末が、前記第１及び第２の表示部材の回動状態を検出する回動検出処理と、前記回動検出処理の検出結果に応じて前記第２の表示部材の表示内容を制御する制御処理とを実行している。【００１１】
本発明による第１のプログラムは、第１の表示部材と、前記第１の表示部材を電気的及び構造的に接続する回動機構を含む第１の支持部材とを含む上側ユニットと、
少なくとも第２の表示部材を含む下側ユニットとからなり、
無線による通信が可能な携帯通信端末内においてコンピュータに実行させるプログラムであって、
前記第１の表示部材の回動状態を検出する回動検出処理と、前記回動検出処理の検出結果に応じて前記第２の表示部材の表示内容を制御する制御処理とを含むことを特徴とする。【００１２】
本発明による第２のプログラムは、第１の表示部材と、前記第１の表示部材を電気的及び構造的に接続する回動機構を含む第１の支持部材とを含む上側ユニットと、
第２の表示部材と、前記第２の表示部材を電気的及び構造的に接続する回動機構を含む第２の支持部材とを含む下側ユニットとからなり、
無線による通信が可能な携帯通信端末内においてコンピュータに実行させるプログラムであって、
前記第１及び第２の表示部材の回動状態を検出する回動検出処理と、前記回動検出処理の検出結果に応じて前記第２の表示部材の表示内容を制御する制御処理とを含むことを特徴とする。
【発明の効果】
【００１３】
本発明は、上記のような構成及び動作とすることで、利用者の操作性を著しく向上させることができるという効果が得られる。
【発明を実施するための最良の形態】
【００１４】
次に、本発明の実施の形態について図面を参照して説明する。図１は本発明の第１の実施の形態による携帯通信端末の構成を示すブロック図である。図１において、携帯通信端末１は、通信機能（通話、メール送受信、インタネット接続等）やテレビ（ＴＶ）放送受信機能を備えた折畳み型の携帯情報処理装置である。【００１５】
携帯通信端末１は、無線用アンテナ１１と、放送用アンテナ１２と、無線通信部１３と、放送受信部１４と、カメラ部１５と、音声処理部１６と、マイク１７と、スピーカ１８と、表示部１９と、表示／入力部２０と、状態検出部２１と、開閉センサ２２と、回動センサ２３と、スピーカ部２４と、記憶部２５と、制御部２６とから構成されている。【００１６】
無線通信部１３は、無線用アンテナ１１を介して図示せぬ無線基地局装置との間で無線によって情報の送受を行う。放送受信部１４は、図示せぬ放送局（地上局、衛星等）から送信された放送信号を放送用アンテナ１２を介して受信し、その受信した信号の復調による映像データ、音声データ、情報データ等の放送信号処理を行う。【００１７】
カメラ部１５は、画像の取得（撮影）を行う。音声処理部１６は、送話部（マイク１７）及び受話部（スピーカ１８）を介して入出力された音声信号の処理を行う。表示部１９は、図示せぬ液晶表示装置等から構成され、画像、図形、文字、記号等の情報表示出力（映像信号処理）を行う。【００１８】
表示／入力部２０は、画像、図形、文字、記号等の情報表示出力を行う表示機能及び圧力や静電容量から入力を感知するスイッチ機能を兼ね備えたタッチパネル（タッチスクリーン）である。【００１９】
状態検出部２１は、上側ユニットと下側ユニットとの開閉、上側ユニットの表示部１９の回動、下側ユニットの表示／入力部２０の回動を、磁気／ホール素子、あるいは凸部／押下スイッチ等による開閉センサ２２、回動センサ２３によって検出する。【００２０】
スピーカ２４は、楽音や報知音等の鳴音出力を行う。記憶部２５は、電話帳情報、送受信メール情報、発着呼の情報やコンテンツ情報、アプリケーションプログラム情報、携帯通信端末１の各種設定情報、制御部２６で実行するプログラム等を格納する。【００２１】
制御部２６は、記憶部２５に格納されたプログラムを実行し、電話機能、メール機能、インタネット（ｗｅｂ）接続機能、カメラ機能、テレビ受信機能、コンテンツ再生機能、その他の端末の有する機能や各部の制御を行う。【００２２】
図２及び図３は本発明の第１の実施の形態による携帯通信端末１の筐体の回動動作を示す図である。図２及び図３において、携帯通信端末１は、表示部１９を有する上側ユニット１Ａと、表示／入力部（タッチパネル）２０を有する下側ユニット１Ｂとがヒンジ部１Ｃによって相互に接続されている。【００２３】
また、携帯通信端末１は、上側ユニット１Ａに、表示部１９を備えるだけでなく、第１カメラ部１５ａ及びスピーカ１８を備えており、この表示部１９を備える面の反対面に第２カメラ部（図示せず）を備えていてもよい。さらに、携帯通信端末１は、下側ユニット１Ｂに、表示／入力部（タッチパネル）２０の他に、マイク１７を備えている。【００２４】
尚、上側ユニット１Ａ及び下側ユニット１Ｂは、それぞれ表示部１９と支持部（図示せず）、表示／入力部２０と支持部（図示せず）とによって構成されており、支持部は、表示部１９及び表示／入力部２０を電気的及び構造的に接続するとともに、回動可能な構成となっている。【００２５】
つまり、図２（ａ）は表示部１９及び表示／入力部２０をともに縦型（表示部１９及び表示／入力部２０各々の長方形の表示領域において長辺を縦にした状態）にした場合の外観を示している。図２（ｂ１），（ｂ２）は表示部１９を横型（長方形の表示領域において長辺を横にした状態）にし、表示／入力部２０を縦型にした場合の外観を示している。【００２６】
図３（ｃ１）〜（ｃ３）は表示部１９及び表示／入力部２０をともに横型にした場合の外観を示している。図３（ｄ）は表示部１９を縦型にし、表示／入力部２０を横型にした場合の外観を示している。以下の説明では、これら図２及び図３に示すキーパターン［（ａ）パターン，（ｂ１）パターン，（ｂ２）パターン，（ｃ１）〜（ｃ３）パターン，（ｄ）パターン］を用いて説明する。【００２７】
図４は本発明の第１の実施の形態による携帯通信端末１の処理動作を示すフローチャートである。これら図１〜図４を参照して携帯通信端末１の処理動作について説明する。尚、図４に示す処理動作は、制御部２６が記憶部２５に格納されたプログラムを実行することで実現される。【００２８】
制御部２６は、開閉センサ２２の出力を検出した状態検出部２１からの信号を受信すると、その信号を基に携帯通信端末１の形態が「閉」状態から「開」状態へ移行したかどうかを検出する（図４ステップＳ１）。【００２９】
制御部２６は、図２に示すような上側ユニット１Ａ、下側ユニット１Ｂがともに縦長の状態で、携帯通信端末１の形態が「閉」状態から「開」状態へ移行したことを検出すると、表示／入力部２０にテンキーを表示させるとともに（図４ステップＳ２）、当該キーに関わるタッチパネルを有効とする（図４ステップＳ３）。【００３０】
このステップＳ３では、例えば、表示／入力部２０のタッチパネルによって通常の発信や着信の操作が可能である。これら発信や着信操作を行う場合には、図２（ａ）に示すような状態において、表示／入力部２０のタッチパネルに表示された数字キーやオフフックキーの押下が表示／入力部２０において検出（感知）されて、その検出処理によって制御部２６には番号入力等の操作内容認識及び発信処理や着信処理を行う。但し、図４においては、これら発信処理や着信処理が公知であるので、それらの処理ステップの図示を省略している。【００３１】
さらに、ステップＳ３の状態で上側ユニット１Ａの表示部１９、または下側ユニット１Ｂの表示／入力部２０の回動（横長変位）が回動センサ２３の出力を検出した状態検出部２１からの信号によって検出され（図４ステップＳ４：ＹＥＳ）、かつ表示／入力部２０のタッチパネルに表示されるメニューキーの操作や機能キーの操作によって、ＴＶ放送受信、メール、ゲーム等の機能やアプリケーションが選択されると（図４ステップＳ８：ＹＥＳ）、制御部２６は、この選択された機能やアプリケーションと回動検出結果とに応じて、表示／入力部２０に予め設定されたキーパターン（このキーパターンの設定については後述する）、あるいはアイコンパターンを表示させ（図４ステップＳ６）、当該キー（アイコン）に関わるタッチパネルを有効とする（図４ステップＳ７）。【００３２】
また、上記のステップＳ４において、上下ユニットの回動（横長変位）がなく（図４ステップＳ４：ＮＯ）、機能やアプリケーションの選択が行われた場合にも（図４ステップＳ５：ＹＥＳ）、制御部２６は、上記のステップＳ６の処理に遷移する。【００３３】
一方、上下ユニットの回動（横長変位）を検出したが（図４ステップＳ４：ＹＥＳ）、機能やアプリケーションの選択がない場合（図４ステップＳ８：ＮＯ）、制御部２６は、上側ユニット１Ａまたは下側ユニット１Ｂの縦長から横長への変移に応じて画面の縦横表示変換を行う（図４ステップＳ９）。【００３４】
ここで、上記のステップＳ６において、例えば、メール機能を起動している状態で回動（横長）を検出した場合には、図３（ｃ３）に示すように、フルキーボード（ＱＷＥＲＴＹキー）表示（または、五十音順のキーボードの表示でもよい）がなされる。また、ゲーム機能を起動している状態で回動（横長）を検出した場合には、図３（ｃ１）に示すように、４方向キー等が表示される。【００３５】
図５は本発明の第１の実施の形態によるキーパターン選択処理（図４ステップＳ６）に用いるテーブルの構成例を示す図である。図５において、キーパターン選択テーブル２５ａは、上側ユニット１Ａ及び下側ユニット１Ｂ各々の縦長の状態及び横長の状態と、機能やアプリケーションとをキーとして、表示／入力部２０のタッチパネルに表示するパターン（図２及び図３に示すパターン）を検索可能に構成されており、記憶部２５に格納されている。尚、キーパターン選択テーブル２５ａに記憶されている内容は、利用者が後から追加したり、削除したりして編集することができるようにしてあるものとする。【００３６】
制御部２６は、回動センサ２３の出力を検出した状態検出部２１の検出結果（上側ユニット１Ａの表示部１９及び下側ユニット１Ｂの表示／入力部２０の状態）と、その時、選択されている機能やアプリケーションとを基にキーパターン選択テーブル２５ａを検索し、その時の上側ユニット１Ａの表示部１９及び下側ユニット１Ｂの表示／入力部２０の状態及び機能やアプリケーションに対応するパターンを表示／入力部２０のタッチパネルに表示する。【００３７】
例えば、上側ユニット１Ａの表示部１９及び下側ユニット１Ｂの表示／入力部２０各々がともに縦長の状態の場合、制御部２６は、機能やアプリケーションがテレビ電話であれば、表示／入力部２０のタッチパネルにテンキーや方向キーの表示を含む図２の（ａ）パターンを表示する。【００３８】
また、上側ユニット１Ａの表示部１９が横長の状態で、下側ユニット１Ｂの表示／入力部２０が縦長の状態の場合、制御部２６は、機能やアプリケーションがＷｅｂブラウザであれば、表示／入力部２０のタッチパネルに図２の（ｂ１）パターン（テンキーや方向キーの表示を含むパターン）を表示し、機能やアプリケーションがテレビ（ＴＶ）であれば、表示／入力部２０のタッチパネルに図２の（ｂ２）パターンを表示する。【００３９】
図２の（ｂ２）パターンでは、受信された放送情報のうち、図１の放送受信部１４で識別された映像データを上側ユニット１Ａの表示部１９に表示し、文字等のデータを下側ユニット１Ｂの表示／入力部２０のデータ放送表示部に表示する。また、表示／入力部２０には、選局／音量キー、録音や再生等の各種機能キーが表示される。【００４０】
さらに、上側ユニット１Ａの表示部１９及び下側ユニット１Ｂの表示／入力部２０各々がともに横長の状態の場合、制御部２６は、機能やアプリケーションがゲーム［この場合のゲームをゲーム（１）とする］であれば、表示／入力部２０のタッチパネルに、横長表示に変換したテンキーや方向キーを含む図３の（ｃ１）パターンを表示し、機能やアプリケーションがカメラであれば、表示／入力部２０のタッチパネルに図３の（ｃ２）パターンを表示し、機能やアプリケーションが電子メールであれば、表示／入力部２０のタッチパネルに図３の（ｃ３）パターンを表示する。図３の（ｃ３）パターンは、ＱＷＥＲＴＹキー（フルキー）の表示である。【００４１】
ここで、上記のゲーム（１）とは、上側ユニット１Ａの表示部１９において、ゲーム内容が横方向への動き（例えば、横スクロール）を行うようなテレビゲームを示しており、利用者は横長の上側ユニット１Ａの表示部１９を見ながら、横長の表示／入力部２０のタッチパネルにて両手による操作が可能となる。【００４２】
また、カメラの場合には、横長の上側ユニット１Ａの表示部１９に第２カメラ部の画像を表示し、横長の表示／入力部２０のタッチパネルに第１カメラ部１５ａを表示することも、またそれらの画像を入れ替えることもできる。さらに、横長の上側ユニット１Ａの表示部１９に第２カメラ部の画像を表示し、横長の表示／入力部２０のタッチパネルに上側ユニット１Ａの表示部１９に表示される画像の直前に第２カメラ部にて撮影した画像を表示することも可能である。【００４３】
一方、上側ユニット１Ａの表示部１９が縦長の状態で、下側ユニット１Ｂの表示／入力部２０が横長の状態の場合、制御部２６は、機能やアプリケーションがゲーム［この場合のゲームをゲーム（２）とする］であれば、表示／入力部２０のタッチパネルに図３の（ｄ）パターンを表示する。【００４４】
ここで、上記のゲーム（２）とは、上側ユニット１Ａの表示部１９において、ゲーム内容が縦方向への動き（例えば、縦スクロール）を行うようなテレビゲームを示しており、利用者は縦長の上側ユニット１Ａの表示部１９を見ながら、横長の下側ユニット１Ｂの表示／入力部２０のタッチパネルにて両手による操作が可能となる。この場合には、ゲーム内容として、縦長の上側ユニット１Ａの表示部１９において、上側から下側へと物体が移動してくるような内容に最適である。【００４５】
図６〜図９は本発明の第１の実施の形態によるキーパターン選択処理を示すフローチャートである。図６〜図９においては、上記のキーパターン選択テーブル２５ａの内容がプログラムとして組み込まれている場合の処理動作を示している。この場合もプログラムを編集することで追加や削除を可能としている。【００４６】
以下、図１〜図３と図６〜図９とを参照して本発明の第１の実施の形態によるキーパターン選択処理について説明する。尚、図６〜図９に示す処理動作も、制御部２６が記憶部２５に格納されたプログラムを実行することで実現される。また、図６〜図９においては、機能やアプリケーションを機能と表記している。【００４７】
制御部２６は、表示／入力部２０に予め設定されたキーパターン、あるいはアイコンパターンを表示させる場合（図４ステップＳ６）、図６〜図９に示すキーパターン選択処理を実行する。この場合、制御部２６は、上側ユニット１Ａの表示部１９が横長で（図６ステップＳ１１）、下側ユニット１Ｂの表示／入力部２０が縦長の場合（図６ステップＳ１２）、現在選択されている機能を判別する（図６ステップＳ１３）。【００４８】
制御部２６は、機能がＷｅｂブラウザであれば、図２の（ｂ１）パターンを選択して表示／入力部２０のタッチパネルに表示し（図６ステップＳ１４）、機能がテレビ（ＴＶ）であれば、図２の（ｂ２）パターンを選択して表示／入力部２０のタッチパネルに表示する（図６ステップＳ１５）。【００４９】
次に、制御部２６は、上側ユニット１Ａの表示部１９が縦長で（図６ステップＳ１１）、下側ユニット１Ｂの表示／入力部２０が横長の場合（図７ステップＳ１６）、現在選択されている機能を判別する（図７ステップＳ１７）。制御部２６は、機能がゲーム［上記のゲーム（２）］であれば、図３の（ｄ）パターンを選択して表示／入力部２０のタッチパネルに表示する（図７ステップＳ１８）。【００５０】
制御部２６は、上側ユニット１Ａの表示部１９が横長で（図６ステップＳ１１）、下側ユニット１Ｂの表示／入力部２０が横長の場合（図６ステップＳ１２）、現在選択されている機能を判別する（図８ステップＳ１９）。制御部２６は、機能がゲーム［上記のゲーム（１）］であれば、図３の（ｃ１）パターンを選択して表示／入力部２０のタッチパネルに表示し（図８ステップＳ２０）、機能がカメラであれば、図３の（ｃ２）パターンを選択して表示／入力部２０のタッチパネルに表示し（図８ステップＳ２１）、機能がメールであれば、図３の（ｃ３）パターンを選択して表示／入力部２０のタッチパネルに表示する（図８ステップＳ２２）。【００５１】
制御部２６は、上側ユニット１Ａの表示部１９が縦長で（図６ステップＳ１１）、下側ユニット１Ｂの表示／入力部２０が縦長の場合（図７ステップＳ１６）、現在選択されている機能を判別する（図９ステップＳ２３）。制御部２６は、機能がテレビ電話であれば、図２の（ａ）パターンを選択して表示／入力部２０のタッチパネルに表示する（図９ステップＳ２４）。【００５２】
このように、本実施の形態では、主に情報の表示出力を行う上側ユニット１Ａの表示部１９を出力する情報に応じて縦長、あるいは横長表示とし、主に情報の入力操作を行う下側ユニット１Ｂの表示／入力部２０のタッチパネルを、表示部１９に出力された情報に併せて縦長、あるいは横長に変更し、かつ表示されるキー、あるいはアイコンのパターンを変更させるので、利用者の操作性を著しく向上させることができる。【００５３】
尚、本実施の形態では、キーパターン選択テーブル２５ａによるキーパターン選択処理と、上述した制御部２６によるキーパターン選択処理とを示しているが、それらのうちのいずれか一方でも、またはそれらを組み合わせてもよく、これに限定されない。【００５４】
図１０は本発明の第２の実施の形態による携帯通信端末の筐体の回動動作を示す図である。図１０において、本発明の第２の実施の形態による携帯通信端末は、その基本的な内部構造は図１に示す本発明の第１の実施の形態による携帯通信端末１と同様であるが、上側ユニット２Ａと下側ユニット２Ｂとが重なり合わされて収納され［図１０（ａ）参照］、上側ユニット２Ａと下側ユニット２Ｂとをスライドさせることで下側ユニット２Ｂの表示／入力部２０のタッチパネルを露出させて入力を行わせる［図１０（ｂ）参照］タイプに上記の本発明の第１の実施の形態を適用したものである。【００５５】
この場合、本実施の形態では、本発明の第１の実施の形態を適用するために、上側ユニット２Ａの表示部１９と下側ユニット２Ｂの表示／入力部２０とをそれぞれ独立に回動自在に軸支している［図１０（ｃ）参照］。よって、本実施の形態でも、本発明の第１の実施の形態の効果と同様の効果を得ることができる。【００５６】
図１１は本発明の第３の実施の形態による携帯通信端末の筐体の回動動作を示す図である。図１１において、本発明の第３の実施の形態による携帯通信端末は、その基本的な内部構造は図１に示す本発明の第１の実施の形態による携帯通信端末１と同様であるが、上側ユニット３Ａと下側ユニット３Ｂとが同じ支持部材３Ｃ上に、上側ユニット３Ａの表示部１９と下側ユニット３Ｂの表示／入力部２０とをそれぞれ独立に回動自在に軸支している［図１１（ａ），（ｂ）参照］。よって、本実施の形態でも、本発明の第１の実施の形態の効果と同様の効果を得ることができる。【００５７】
図１２は本発明の第４の実施の形態による携帯通信端末のキー入力処理を示す図であり、図１３は本発明の第４の実施の形態による携帯通信端末のキー入力処理を示すフローチャートである。本発明の第４の実施の形態による携帯通信端末は、その基本的な内部構造及び外部構造が図１〜図３に示す本発明の第１の実施の形態による携帯通信端末１と同様であるが、そのキー入力処理について工夫している。【００５８】
制御部２６は、回動センサ２３の出力を検出した状態検出部２１からの信号を受信して、操作入力を行う下側ユニット１Ｂの横長の状態へ移行するための回動を検出すると（図１３ステップＳ３１）、予め設定された両手入力操作モードに移行する。【００５９】
このとき、制御部２６は、表示／入力部２０に表示された決定キーの押下の有無により、他のキーを押下した際の情報入力が変化する（図１３ステップＳ３２〜Ｓ３５）。例えば、本実施の形態では、決定キーをその他のキーと同時に押下していない操作において「ひらがな」の入力とし（図１３ステップＳ３３，Ｓ３５）、決定キーをその他のキーと同時に押下している操作において「カタカナ」の入力とする（図１２参照）（図１３ステップＳ３３，Ｓ３４）。【００６０】
あるいは、本実施の形態では、決定キーをその他のキーと同時に押下していない操作において「第１の機能（メール）」を選択し（図１３ステップＳ３３，Ｓ３５）、決定キーをその他のキーと同時に押下している操作において「第２の機能（Ｗｅｂブラウザ）」を選択する（図１３ステップＳ３３，Ｓ３４）ように制御する。これによって、本実施の形態では、パーソナルコンピュータのキーボード等のようなフルキーによって入力操作性を向上させることができる。【００６１】
上述したように、本発明は、上側ユニット１Ａと下側ユニット１Ｂとを開閉自在に結合する折畳み型の携帯通信端末１に関し、上側ユニット１Ａ及び下側ユニット１Ｂをそれぞれ表示部と支持部とで構成し、支持部が表示部を電気的及び構造的に接続する回動機構を備え、主に情報の表示出力を行う上側ユニット１Ａの表示部１９に出力する情報に応じて縦長または横長表示とし、主に情報の入力操作を行う下側ユニット１Ｂの表示／入力部２０のタッチパネルを、表示部１９に出力する情報に併せて縦長または横長に変更し、かつ表示されるキーまたはアイコンのパターンを変更しているので、本発明に関連する携帯通信端末の形状、携帯性等を維持したまま利用者の操作性を向上させることができる。【００６２】
尚、本発明は、上記の各実施の形態において、上側ユニット１Ａと下側ユニット１Ｂとをそれぞれ独立に回動自在としているが、上側ユニット１Ａのみを回動自在とし、下側ユニット１Ｂの表示／入力部２０のタッチパネルの表示を変更させる場合にも適用可能である。【００６３】
また、本発明は、上記の各実施の形態において、下側ユニット１Ｂの表示／入力部２０にタッチパネルを用いているが、下側ユニット１Ｂの表示／入力部２０に各々独立したキーを配置し、各キーの表示を変化させる場合にも適用可能である。【００６４】
例えば、下側ユニット１Ｂの表示／入力部２０としては、表示内容可変なキー（例えば、電子ペーパー等）を用いることが可能である。電子ペーパーを用いる場合には、電子ペーパーをキーシートの下に配置し、電子ペーパーの各キー部位の表示を制御部２６によって変化するように制御させることが考えられる。尚、上記の電子ペーパー以外にも、フィルム液晶のようなフレキシブル性を持った表示部材を使用することが可能である。【００６５】
さらに、本発明は、上述した下側ユニット１Ｂの表示／入力部２０の各種形態を、上記の各実施の形態に組み合わせて実現することも可能であり、これらに限定されない。【００６６】
尚、この出願は、２００７年８月８日に出願した、日本特許出願番号２００７−２０６０１５号を基礎とする優先権を主張し、その開示の全てをここに取り込む。
【図面の簡単な説明】
【００６７】
【図１】本発明の第１の実施の形態による携帯通信端末の構成を示すブロック図である。
【図２】本発明の第１の実施の形態による携帯通信端末の筐体の回動動作を示す図である。
【図３】本発明の第１の実施の形態による携帯通信端末の筐体の回動動作を示す図である。
【図４】本発明の第１の実施の形態による携帯通信端末の処理動作を示すフローチャートである。
【図５】本発明の第１の実施の形態によるキーパターン選択処理に用いるテーブルの構成例を示す図である。
【図６】本発明の第１の実施の形態によるキーパターン選択処理を示すフローチャートである。
【図７】本発明の第１の実施の形態によるキーパターン選択処理を示すフローチャートである。
【図８】本発明の第１の実施の形態によるキーパターン選択処理を示すフローチャートである。
【図９】本発明の第１の実施の形態によるキーパターン選択処理を示すフローチャートである。
【図１０】本発明の第２の実施の形態による携帯通信端末の筐体の回動動作を示す図である。
【図１１】本発明の第３の実施の形態による携帯通信端末の筐体の回動動作を示す図である。
【図１２】本発明の第４の実施の形態による携帯通信端末のキー入力処理を示す図である。
【図１３】本発明の第４の実施の形態による携帯通信端末のキー入力処理を示すフローチャートである。
【符号の説明】
【００６８】
１  携帯通信端末
１Ａ，２Ａ，３Ａ  上側ユニット
１Ｂ，２Ｂ，３Ｂ  下側ユニット
１Ｃ  ヒンジ部
３Ｃ  支持部材
１１  無線用アンテナ
１２  放送用アンテナ
１３  無線通信部
１４  放送受信部
１５  カメラ部
１５ａ  第１カメラ部
１６  音声処理部
１７  マイク
１８  スピーカ
１９  表示部
２０  表示／入力部
２１  状態検出部
２２  開閉センサ
２３  回動センサ
２４  スピーカ部
２５  記憶部
２５ａ  キーパターン選択テーブル
２６  制御部
【図１】
2009020131.tif 000003
【図２】
2009020131.tif 000004
【図３】
2009020131.tif 000005
【図４】
2009020131.tif 000006
【図５】
2009020131.tif 000007
【図６】
2009020131.tif 000008
【図７】
2009020131.tif 000009
【図８】
2009020131.tif 000010
【図９】
2009020131.tif 000011
【図１０】
2009020131.tif 000012
【図１１】
2009020131.tif 000013
【図１２】
2009020131.tif 000014
【図１３】
2009020131.tif 000015
【国際調査報告】
2009020131.tif 000016
2009020131.tif 000017